(57)【要約】 【課題】トイレ用殺菌剤放出器システムとその方法を改良すること。【解決手段】  本発明のトイレ用殺菌剤放出システムは、（Ａ）殺菌剤放出器と、前記殺菌剤放出器の出口は、トイレ・ボウルに繋がっており、（Ｂ）活性化装置と、前記活性化装置は、前記トイレ・ボウル内に廃棄物が存在する前に、前記殺菌剤の放出を活性化するを有する。更に前記殺菌剤放出器は、（Ａ１）容器と、（Ａ２）前記容器内に配置されるベーン歯車と、（Ａ３）前記べ−ン歯車に接続される一方向性ベアリングと、（Ａ４）前記一方向性ベアリングに連結されるハンドルとを有する。【選択図】  図１
2010528202.tif 000002
【特許請求の範囲】
【請求項１】
トイレ用殺菌剤放出システムに於いて、
（Ａ）殺菌剤放出器と、
前記殺菌剤放出器の出口は、トイレ・ボウルに繋がっており、
（Ｂ）活性化装置と、
前記活性化装置は、前記トイレ・ボウル内に廃棄物が存在する前に、前記殺菌剤の放出を活性化する
を有する
ことを特徴とするトイレ用殺菌剤放出システム。
【請求項２】
前記活性化装置は、前記トイレの便座の下に配置されるハンドルであり、
これにより、前記便座に座ったときに、前記放出動作が活性化される
ことを特徴とする請求項１記載のシステム。
【請求項３】
前記活性化器は、ユーザの手動で動作する
ことを特徴とする請求項１記載のシステム。
【請求項４】
前記活性化器は、対象物の存在を検知するセンサーにより、活性化される
ことを特徴とする請求項１記載のシステム。
【請求項５】
前記センサーは、赤外線センサー、歪みセンサー、接触センサーからなるグループから選択される
ことを特徴とする請求項４記載のシステム。
【請求項６】
前記殺菌剤は、塩素を含む
ことを特徴とする請求項１記載のシステム。
【請求項７】
前記殺菌剤放出器は、
（Ａ１）容器と、
（Ａ２）前記容器内に配置されるベーン歯車と、
（Ａ３）前記べ−ン歯車に接続される一方向性ベアリングと、
（Ａ４）前記一方向性ベアリングに連結されるハンドルと
を有する
ことを特徴とする請求項１記載のシステム。
【請求項８】
（Ａ５）前記容器の下に配置される開口と、
（Ａ６）前記容器の上に配置される蓋と、
を有し、
前記ベーン歯車のベーンの回転の間のある時点で、前記蓋が前記開口の上のセルを閉鎖し、
これにより、前記セル内の殺菌剤のみが放出される
ことを特徴とする請求項７記載のシステム。
【請求項９】
前記容器は、前記トイレ・ボウルの便座又は蓋に配置される
ことを特徴とする請求項１記載のシステム。
【請求項１０】
クリップを更に有し、
前記クリップは、前記放出器を前記トイレ・ボウルの縁に連結する
ことを特徴とする請求項１記載のシステム。
【請求項１１】
（Ｃ）コネクタと、
前記コネクタは、前記放出器を前記トイレ・ボウル上の壁に連結し、
（Ｄ）パイプと、
前記パイプは、前記容器から放出された殺菌剤を前記トイレ・ボウルに搬送する
を更に有する
ことを特徴とする請求項１記載のシステム。
【請求項１２】
前記殺菌剤は、粉末である
ことを特徴とする請求項１記載のシステム。
【請求項１３】
前記殺菌剤は、液状である
ことを特徴とする請求項１記載のシステム。
【請求項１４】
前記殺菌剤は、錠剤である
ことを特徴とする請求項１記載のシステム。
【請求項１５】
前記殺菌剤は、固形物である
ことを特徴とする請求項１記載のシステム。
【請求項１６】
前記殺菌剤は、ＣＤＢ６０を含む
ことを特徴とする請求項１記載のシステム。
【請求項１７】
前記殺菌剤放出器は、
（Ａ１）底部に開口を有する容器と、
（Ａ２）容器の内側で回転可能で、開口を有するシリンダと、
（Ａ３）開口を有するラックと、
（Ａ４）前記シリンダに連結されるハンドルと、
前記ハンドルは、第１状態から第２状態に前記シリンダを変え、
を有し、
前記第１状態に於いて、前記シリンダの開口は、前記ラックの開口にオーバーラップし、前記容器内の殺菌剤が、前記シリンダの開口を充填し、
前記第２状態に於いて、シリンダの開口は、容器の開口とオーバーラップし、
前記シリンダ内に閉じこめられた殺菌剤が、前記容器の開口を介して注がれ、その間前記ラックは前記容器内の殺菌剤が注がれるのを阻止する
ことを特徴とする請求項１記載のシステム。
【請求項１８】
スプリングを更に有し、
前記スプリングは、前記シリンダを第２状態から第１状態に変化させる
ことを特徴とする請求項１７記載のシステム。
【請求項１９】
前記殺菌剤は、塩素を含む
ことを特徴とする請求項１記載のシステム。
【請求項２０】
前記殺菌剤放出器の容器は、前記トイレ・ボウルの便座又は蓋内に配置される
ことを特徴とする殺菌剤をトイレのボウルに放出する方法。
【請求項２１】
殺菌剤をトイレ・ボウル内に放出する方法に於いて、
（Ａ）前記殺菌剤をトイレ・ボウル内に放出する放出器を用意するステップと、
前記放出器は活性化器を含み、
（Ｂ）前記活性化器を活性化した時に、前記殺菌剤をトイレ・ボウル内に放出するステップと、
を有する
ことを特徴とする殺菌剤をトイレ・ボウル内に放出する方法。
【請求項２２】
前記活性化器は、ユーザの手動により活性化される
ことを特徴とする請求項２１記載の方法。
【請求項２３】
前記活性化器は、前記トイレ・ボウルに対象物の存在を検知すると、自動的に活性化される
ことを特徴とする請求項２１記載の方法。
【請求項２４】
前記検出ステップは、センサーにより行われる
ことを特徴とする請求項２３記載の方法。
【請求項２５】
前記センサーは、赤外線センサー、歪みセンサー、接触センサーからなるグループから選択される
ことを特徴とする請求項２４記載の方法。
【請求項２６】
前記活性化ステップは、前記トイレ・ボウルの便座にかかる力により行われる
ことを特徴とする請求項２１記載の方法。
【請求項２７】
前記殺菌剤は、塩素を含む
ことを特徴とする請求項２１記載の方法。
【発明の詳細な説明】
【技術分野】
【０００１】
本発明は、トイレ等の衛生装置の分野に関し、特にトイレ用殺菌剤放出器のシステムとその方法に関する。
【背景技術】
【０００２】
特許文献１は、タンクとタンク用の蓋を有する、トイレと共に使用されるトイレ用殺菌剤放出器を開示する。水源は、タンクに、水の入口パイプを介して接続され、フロートバルブで制御される。トイレのボウルは、タンクに、タンクのドレンパイプ上のボウルバルブで動作可能に接続されている。このボウルバルブは、タンクの洗浄水放出用ハンドルのトリップレバー上のリストチェーンに接続されている。オーバーフローパイプが、外側に伸びてタンク内に入り、トイレのボウルに接続される。
【０００３】
このトイレ用殺菌剤放出器は、入口ポートと出口ポートとを有する容器を有する。可溶性の殺菌剤のタブレットがこの容器に入れられている。出口ポートの要素は、容器をオーバーフローパイプの上端に取り外し可能に固定するためのものである。フロートバルブ組立体からオーバーフローパイプの上端に、そして容器の入口ポートに水の一部を供給する設備が具備される。容器内の水は、可溶性の殺菌剤タブレットを所定量溶かして、出口ポートから出て、最終的にオーバーフローパイプの中に、そしてトイレのボウル内に入る。
【先行技術文献】
【特許文献】
【０００４】
【特許文献１】米国特許第５６０３１２６号明細書
【発明の概要】
【発明が解決しようとする課題】
【０００５】
本発明の目的は、トイレ用殺菌剤放出器システムとその方法を改良することである。
【課題を解決するための手段】
【０００６】
本発明のトイレ用殺菌剤放出システムは、
（Ａ）殺菌剤放出器と、
前記殺菌剤放出器の出口は、トイレ・ボウルに繋がっており、
（Ｂ）活性化装置と、
前記活性化装置は、前記トイレ・ボウル内に廃棄物が存在する前に、前記殺菌剤の放出を活性化する
を有する。
本発明の一実施例によれば、前記活性化装置は、前記トイレの便座の下に配置されるハンドルであり、これにより、前記便座に座ったときに、前記放出動作が活性化される。
本発明の一実施例によれば、前記活性化器は、ユーザの手動で動作する。
本発明の一実施例によれば、前記活性化器は、対象物の存在を検知するセンサーにより、活性化される。
本発明の一実施例によれば、前記センサーは、赤外線センサー、歪みセンサー、接触センサーからなるグループから選択される。
本発明の一実施例によれば、前記殺菌剤は、塩素を含む。
【０００７】
本発明の一実施例によれば、前記殺菌剤放出器は、
（Ａ１）容器と、
（Ａ２）前記容器内に配置されるベーン歯車と、
（Ａ３）前記べ−ン歯車に接続される一方向性ベアリングと、
（Ａ４）前記一方向性ベアリングに連結されるハンドルと
を有する。
本発明の一実施例によれば、前記殺菌剤放出器は、
（Ａ５）前記容器の下に配置される開口と、
（Ａ６）前記容器の上に配置される蓋と、
を有し、前記ベーン歯車のベーンの回転の間のある時点で、前記蓋が前記開口の上のセルを閉鎖し、これにより、前記セル内の殺菌剤のみが放出される。
本発明の一実施例によれば、前記容器は、前記トイレ・ボウルの便座又は蓋に配置される。
本発明の一実施例によれば、クリップを更に有し、前記クリップは、前記放出器を前記トイレ・ボウルの縁に連結する。
【０００８】
本発明の一実施例によれば、本発明のトイレ用殺菌剤放出システムは、
（Ｃ）コネクタと、
前記コネクタは、前記放出器を前記トイレ・ボウル上の壁に連結し、
（Ｄ）パイプと、
前記パイプは、前記容器から放出された殺菌剤を前記トイレ・ボウルに搬送する
を更に有する。
本発明の一実施例によれば、前記殺菌剤は、粉末、液状、錠剤である。本発明の一実施例によれば、前記殺菌剤は、固形物である。
【０００９】
本発明の一実施例によれば、前記殺菌剤は、ＣＤＢ６０を含む。
本発明の一実施例によれば、前記殺菌剤放出器は、
（Ａ１）底部に開口を有する容器と、
（Ａ２）容器の内側で回転可能で、開口を有するシリンダと、
（Ａ３）開口を有するラックと、
（Ａ４）前記シリンダに連結されるハンドルと、
前記ハンドルは、第１状態から第２状態に前記シリンダを変え、
を有し、前記第１状態に於いて、前記シリンダの開口は、前記ラックの開口にオーバーラップし、前記容器内の殺菌剤が、前記シリンダの開口を充填し、前記第２状態に於いて、シリンダの開口は、容器の開口とオーバーラップし、前記シリンダ内に閉じこめられた殺菌剤が、前記容器の開口を介して注がれ、その間前記ラックは前記容器内の殺菌剤が注がれるのを阻止する。
本発明の一実施例によれば、本発明のトイレ用殺菌剤放出システムは、スプリングを更に有し、前記スプリングは、前記シリンダを第２状態から第１状態に変化させる。
本発明の一実施例によれば、前記殺菌剤は、塩素を含む。
本発明の一実施例によれば、前記殺菌剤放出器の容器は、前記トイレ・ボウルの便座又は蓋内に配置される。
【００１０】
殺菌剤をトイレ・ボウル内に放出する方法は、
（Ａ）前記殺菌剤をトイレ・ボウル内に放出する放出器を用意するステップと、
前記放出器は活性化器を含み、
（Ｂ）前記活性化器を活性化した時に、前記殺菌剤をトイレ・ボウル内に放出するステップと、
を有する。
本発明の一実施例によれば、前記活性化器は、ユーザの手動により活性化される。
本発明の一実施例によれば、前記活性化器は、前記トイレ・ボウルに対象物の存在を検知すると、自動的に活性化される。
本発明の一実施例によれば、前記検出ステップは、センサーにより行われる。
本発明の一実施例によれば、前記センサーは、赤外線センサー、歪みセンサー、接触センサーからなるグループから選択される。
本発明の一実施例によれば、前記活性化ステップは、前記トイレ・ボウルの便座にかかる力により行われる。
本発明の一実施例によれば、前記殺菌剤は、塩素を含む。
【図面の簡単な説明】
【００１１】
【図１】本発明の一実施例のトイレ用殺菌剤放出器が搭載された水洗トイレが配置されたバスルームを表す図。
【図２】図１のトイレ用殺菌剤放出器の拡大図。
【図３】図１のトイレ用殺菌剤放出器の正面から見た展開図。
【図４】図１のトイレ用殺菌剤放出器の裏面から見た展開図。
【図５】本発明の一実施例の一方向性ベアリングの構造を表す断面図。
【図６ａ】図１のトイレ用殺菌剤放出器により行われる放出動作を表す図。
【図６ｂ】図１のトイレ用殺菌剤放出器により行われる放出動作を表す図。
【図７】本発明の一実施例による改良したトイレ用殺菌剤放出器を表す図。
【図８】図７のトイレ用殺菌剤放出器の展開図。
【図９】本発明の他の実施例のトイレ用殺菌剤放出器を搭載したバスルームの断面図。
【図１０】図９のトイレ用殺菌剤放出器が配置されたバスルーム。
【図１１】本発明の他の実施例によるトイレ用殺菌剤放出器を搭載した水洗トイレが配置されたバスルームを表す図。
【図１２】図１１のトイレ用殺菌剤放出器の拡大図。
【図１３】図１１のトイレ用殺菌剤放出器をある角度から見た展開図。
【図１４】図１１のトイレ用殺菌剤放出器を別の角度から見た展開図。
【図１５ａ】図１１のトイレ用殺菌剤放出器の状態Ａで行われる放出動作を表す図。
【図１５ｂ】図１１のトイレ用殺菌剤放出器に状態Ｂで行われる放出動作を表す図。
【発明を実施するための形態】
【００１２】
本明細書に於いて、用語「殺菌剤」は、水中或いは空気中の、洗浄物質、脱臭物質、病原菌を殺す物質等を意味する。
【００１３】
図１において、トイレ用殺菌剤放出器３０は、トイレ・ボウル１４の縁にクリップ２０で取付られる。トイレ用殺菌剤放出器３０の殺菌剤を放出するハンドル１０は、殺菌剤の放出動作を活性化する。便座１６が下に置かれたり、或いはユーザが便座１６に座ることにより、便座１６は、トイレ用殺菌剤放出器３０のハンドル１０を下方向に押す。これにより、殺菌剤をトイレ・ボウル１４内に放出するのを活性化する。
【００１４】
トイレ用殺菌剤放出器は、便座１６がハンドル１０の上に載ったことにより、殺菌剤を放出する。別の構成として、トイレ用殺菌剤放出器は、ユーザが便座１６に座った時のみ殺菌剤を放出するよう構成することもできる。スプリングを採用する場合には、スプリングの強度が、便座１６に重みがかかった時に、或いはユーザの体重がかかった時に、如何に放出操作を活性化するかを、決定する。
【００１５】
ハンドル１０はトイレ用殺菌剤放出器の駆動装置である。以下に説明するように、この駆動（活性化）装置は、ユーザが便座１６の上に存在することを検知するセンサーを採用する回路でもよい。
【００１６】
この実施例によれば、殺菌剤をトイレ・ボウル１４内に放出する作業は、廃棄物（うんこ）がトイレ・ボウル１４内に落ちる直前に行われる。斯くして廃棄物が落下した時には、殺菌剤は既にトイレ・ボウル１４内に存在する。その結果、異臭を発する有機物（廃棄物）を除去する操作は、従来よりもより効果的且つ早くなる。従来の方法（装置）に於いては、殺菌剤の放出動作は、廃棄物がトイレ・ボウル１４内に落ちた後に、行われる。
【００１７】
図２，３，４を参照すると、トイレ用殺菌剤放出器３０は、容器（壁）３２と、ベーン歯車４８と、一方向性ベアリングとから構成される。容器３２は殺菌剤を貯蔵する。ベーン歯車４８は容器の内側で回転する。一方向性ベアリングは、ベーン歯車４８を一方向に回転させる。容器３２は、開口４１とハンドル１０とを有する。この開口４１を介して殺菌剤が容器から放出される。ハンドル１０は、一方向性ベアリングを回転させ、これにより容器内にある殺菌剤を放出する。
【００１８】
要素３４は構造物のシャーシとして用いられる。ベーン歯車４８とハメバ歯車３６用の軸４４が、シャーシ３４に取り付けられる。シャーシ３４にふた４２も取り付けられている。ベーン歯車４８は、一方の側にシリンダ３８を、他方の側に複数の羽根４０を有する。ハンドル１０はハメバ歯車３６に取り付けられる。ハメバ歯車３６には、ハマバがその内部部品内に配置される。
【００１９】
ハンドル１０を下に回転させると、ハンドル１０に取り付けられているハメバ歯車３６は、シリンダ３８を掴んで、ベーン歯車４８を回転させる。このベーン歯車４８にはシリンダ３８が取り付けられている、或いはその一部となっている。ベーン歯車４８が回転すると、トイレ用殺菌剤放出器内の殺菌剤が、開口４１から下に落ちる。開口４１が、トイレ・ボウル１４より上にある場合には、殺菌剤がトイレ・ボウル１４内に落ちる。
【００２０】
ベーン歯車４８は、殺菌剤の容器の壁３２に対する蓋として用いることも出来る。ベーン歯車４８は羽根４０を含む。この羽根４０は壁３２の内側の壁となる。ベーン歯車４８が回転すると、羽根４０は容器内に貯蔵されている殺菌剤を混ぜる。容器の壁は３２で示されている。これにより放出された殺菌剤の量はほぼ一定となる。カバー４２は蓋である。この蓋の役割は、図６ａ，６ｂで説明する。
【００２１】
図５に於いて、ハンドル１０を下側に押したときに、一方向性ベアリングを用いてベーン歯車４８を回転させ、反対方向には無駄な動きを行う。この一方向性ベアリングは公知である。
【００２２】
図５に示す一方向性ベアリングは、シリンダ３８と、ハメバ歯車３６と、ローラ４６とを有する。ハメバ歯車３６のコグ（歯）は、鋸の歯の形状をしている。ハメバ歯車３６のクゴ（歯）は、鋸歯形状である。ハメバ歯車３６は鋸歯形状のコグを有するので、コグに沿ったハメバ歯車３６とベーン歯車４８の間のスペースは、なだらかとなり、コグの先端で最小距離に達する。図５に於いて、コグはハメバ歯車３６の内側にある。しかし別の構成として、コグはベーン歯車４８の外側にあってもよい。この場合、シリンダ３８の内側直径は、ハメバ歯車３６の外側直径よりも大きくなる。
【００２３】
図５において、ハメバ歯車３６がＡ方向に回転すると、ローラ４６は、シリンダ３８とハメバ歯車３６の間のより狭いスペースの方向に向かって回転する。ローラ４６が前進すると、ハメバ歯車３６はシリンダ３８をよりしっかりと掴み、或る点で、シリンダ３８とハメバ歯車３６は、共に回転する。
【００２４】
ハメバ歯車３６が反対方向（即ちＢ方向）に回転すると、ハメバ歯車３６の把持の力はゆるみ、ローラ４６がコグのエッジ３７に到達すると、ローラ４６は引きずられる。言い換えると、ハメバ歯車３６は、シリンダ３８の周囲をＢ方向には自由に回転する。
【００２５】
図６Ａ,６Ｂに於いて、壁３２は容器の壁を構成する。容器の下側に開口４１が形成されている。この開口４１を介して殺菌剤が、容器から放出される。
【００２６】
図６Ａに於いて、カバー４２は、羽根４０Ａと羽根４０Ｂと共に、セル４３Ａを構成する。下側に開口４１が存在するために、容器内の殺菌剤は、開口４１を介してセル４３Ａからのみ放出される。
【００２７】
図６ｂに於いて、セル４３Ｂが、開口４１に近づく、その間セル４３Ａは、容器の殺菌剤に向かって開いている。セル４３Ａが、空になると、セル４３Ｂが充填される。
【００２８】
図３，４に於いて、取付装置２８は、クリップ２０をシャーシ３４に取り付ける構造物を示す。図７，８において、本発明の実施例に於いては、更に、芳香物用容器６２が、トイレ用殺菌剤放出器３０の構造物に取り付けられる。芳香物用容器６２は様々な物質を収納する。その物質は、徐々にトイレの水で洗い流される（開口６４を介して）。芳香物用容器６２内に入っている物質は、芳香物、或いは容器に貯蔵されている殺菌剤と反応する物質である。それ故に別々の容器内に収納される。芳香物用容器６２に収納されている物質は、錠剤、粉末、液体等である。
【００２９】
図９に示す実施例によれば、放出器はトイレ・ボウル１４に搭載される。これは、上記したトイレ・ボウル１４の内側に搭載されるのとは、対称的である。これによりユーザは、便座とは独立して放出操作を活性化できる。トイレ用殺菌剤放出器は、トイレの洗浄水用ハンドル８の傍に配置される。パイプ１８は、トイレ用殺菌剤放出器３０の出口と洗浄水用パイプ２４とを連結する。このパイプ２４を介して、水がトイレ・ボウル１４に送られる。
【００３０】
図１１−１５ｂに示す放出器は、円筒状の容器を含む。この円筒状の容器は、殺菌剤用円筒状容器の他方の部分９２とラック８８とから構成される。この容器内で、シリンダ９６は、軸８０の周りを回転する。シリンダ９６は、それに取り付けられたハンドル１０で回転される。
【００３１】
図１５Ａに示す状態Ａに於いて、ラック８８の開口９０とシリンダ９６の開口９８は、重なっている。斯くして、容器内に貯蔵された殺菌剤は、開口９０と開口９８により形成されたセル（小部屋）を充填する。この状態に於いて、容器の開口９４は、開口９０，開口９８とはオーバーラップしていないので、容器の壁９２は、開口９０と開口９８で形成されたセルの底となる。
【００３２】
図５Ｂに示す状態Ｂに於いて、シリンダ９６の開口９８は、開口９４とオーバーラップし、その結果、開口９８内に充填されている殺菌剤が、放出器から注がれる。ハンドル１０が開放されと、ラセン・スプリング８６はシリンダ９６を状態Ａに戻す。
【００３３】
言い換えると、状態Ａで開口９０を充填している殺菌剤は、状態Ｂで放出される。状態Ａに於いては、開口９８は容器内の殺菌剤の方向に向いて開いており、状態Ｂに於いては、開口９８内の殺菌剤は、開口９４を介して放出される。状態Ｂに於いて、ラック８８は、開口９８に対する蓋として用いられる。これにより、容器内の殺菌剤の残りが注がれるのを阻止する。
【００３４】
本発明の活性化器は、電力を使用する必要がない機械的装置であるが、電気的装置として構成することもできる。電気的装置として構成される場合には、活性化器はセンサーである。単純なセンサーは接触型のセンサーである。例えば回路の一端をトイレ・ボウル１４に配置し、他端を便器に配置する。便座がトイレ・ボウル１４が下に置かれると、接点間の接触で回路が閉じ、殺菌剤の一部がトイレ・ボウル１４内に放出される。
【００３５】
本発明の一実施例によれば、センサーは歪みセンサーである。この歪みセンサーはあるレベルの圧力がセンサーにかかった時点を示す。斯くして、あるレベルの圧力、例えば、便座の重さ又は体重がかかった時に、殺菌剤が放出される。本発明の他の実施例に於いては、センサーは赤外線技術を用いる。例えば、トイレの部屋のタップ内に配置されたセンサーがタップの下の対象物の存在を検知すると、水を放出する。このようなセンサーは、トイレ・ボウル１４の近傍にユーザの存在を検知するか、或いはトイレ・ボウル１４内への廃棄物の落下を検知する。本発明の一実施例によれば、便座と蓋が放出器の容器として用いられる。この場合容器は再度充填されてもよい。実際に、放出器全体を便座又は蓋に組み込んでもよい。
【００３６】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３７】
８    ハンドル        洗浄水用ハンドル
１０  ハンドル        殺菌剤を放出するハンドル
１１  スロット
１２  壁              水容器がある壁
１４  トイレ・ボウル
１６  便座
１７  ふた
１８  パイプ          
２０  クリップ
２２  残留水          洗浄後水容器内に残る水
２４  パイプ          トイレ・ボウル１４の水容器からの水を流すパイプ
２６  水容器
２８  取付装置        クリップ２０をシャーシ３４に取り付ける装置
２９  穴              ねじ部材を通すクリップ２０内に形成される穴
３０  トイレ用殺菌剤放出器
３２  壁              殺菌剤容器の壁
３４  シャーシ
３６  ハメバ歯車
３７  ポイント        ナメバ間のポイント
３８  シリンダ        ベーン歯車４８に取り付けられるシリンダ
４０，４０ａ、４０ｂ  羽根
４１  開口            壁３２に形成され、そこを通して殺菌剤が供給される開口
４２  カバー          最近の羽根でセルが形成されるカバー
４３ａ，４３ｂ  セル  殺菌剤の容器に形成されたセル
４４  軸              歯車３６，ベーン歯車４８用の軸
４５  ナット          軸４４に対応し、シャーシ３４に取り付けられているナット
４６  ローラ          一方向性ベアリングの一部
４８  ベーン歯車
５０  貫通孔          シャーシ３４に固定されるネジが通過する孔
６０  取付構造物
６２  芳香物用容器
６４  開口            芳香物用容器６２からの水が流れる開口
７８  殺菌剤
８０  軸
８２  開口            殺菌剤用円筒状容器の一方の部分８４の底に形成された開口
８４  殺菌剤用円筒状容器の一方の部分
８６  ラセン・スプリング
８８  ラック
９０  開口            ラック８８に形成された開口
９２  殺菌剤用円筒状容器の他方の部分
９４  開口            殺菌剤用円筒状容器の他方の部分９２に形成された開口
９６  シリンダ        ハンドル１０が連結されるシリンダ
９８  開口            シリンダ９６に形成される
【図１】
2010528202.tif 000003
【図２】
2010528202.tif 000004
【図３】
2010528202.tif 000005
【図４】
2010528202.tif 000006
【図５】
2010528202.tif 000007
【図６Ａ】
2010528202.tif 000008
【図６Ｂ】
2010528202.tif 000009
【図７】
2010528202.tif 000010
【図８】
2010528202.tif 000011
【図９】
2010528202.tif 000012
【図１０】
2010528202.tif 000013
【図１１】
2010528202.tif 000014
【図１２】
2010528202.tif 000015
【図１３】
2010528202.tif 000016
【図１４】
2010528202.tif 000017
【図１５Ａ】
2010528202.tif 000018
【図１５Ｂ】
2010528202.tif 000019
【国際調査報告】
2010528202.tif 000020